(57)【要約】【課題】ちり等をフラット面や溝状部分等において連続して収集する場合、フラット面及び溝状部分の双方に使用可能な用具はあるが、操作面で不十分な点及びちりの取り上げ時点でのちり等の落下問題等があり、改良の必要があった。【解決手段】フラットな面上のちり等及び溝状部分内の底辺にあるちり等を効率よく収集するため、アルミ、薄板鋼板等の金属板もしくは樹脂等の板を側面板で囲んだ主体の側面板の一方を開放し、フラット面からの取り入れ口を設けるとともに、他方を溝用の取り入れ口として開放しこれを張り出させたもの(張り出し部は舌片化できるため主体からの引き出し、収納の自在操作も可能)であり、この溝用取入れ口に、より狭隘溝及び深溝等への適用を目的とした、接続受け口のための空隙を有する付属品を必要に応じ自在に取り付け取り外しすることができるちりとり器である。  【選択図】  図６
2004351200.tif 000002
【特許請求の範囲】
【請求項１】
アルミ、薄板鋼板等の金属板もしくは樹脂等の板を側面板で囲んだ主体の側面板の一方を開放し、フラット面からの取り入れ口を設けるとともに、側面板の他方を溝用の取り入れ口として開放しこれを張り出させたものであり、この溝用取入れ口に、狭隘溝及び深溝等への適用を目的とした、接続受け口のための接続部及び接続部に自在に脱着できる付属品を有するちりとり器。
【請求項２】
請求事項１において、溝用取り入れ口の張り出し部を主体から出し入れ自在にできる舌片構造とするとともに、溝用取入れ口の開放部分を閉め切ることのできる仕切り板を備えたことを特徴とするちりとり器。
【発明の詳細な説明】
【技術分野】
【０００１】
本発明は、家庭内及び製造工場等におけるフラットな面や溝状の部分に存在するちり等を集める際に使用するちりとり器に関るものであり、従来からその双方に使用できるものがあったが、実用上の問題も存在したため従来の発想とは全く別の考えに基づき開発した。
【背景技術】
【０００２】
フラット面及び溝面のちり等を収集できる２つの機能を有するちりとり用具も見受けられるが、従来のものは、溝部分にあるちり等を収集する場合用具を側面倒立させる方法であり、ちり等が多めの場合、あふれ易い構造で難点がある。またこの使用方法では、本体を側面倒立の形にするため、把手の持ち替えが必要であること及び横倒立させたままの操作となり、操作の自由度が少なく、難点があった。また主体に付属片（平板）を取り付け溝用で使用する方式のものもあるがフラット面で使用する場合、その都度付属品を外さないと取り入れ口とフラット面の間に隙間ができ使用しにくい面があること及び、付属片が平板状であるため、持ち上げる際にちり等が落下しやすい問題がある。他に溝用と称するちりとり器もあるがこれは溝用が主目的であるため、フラット面で使用する場合、取り入れ口が狭く実用的とは言えない。
【特許文献１】実開昭５５−  ６８９５７公報
【特許文献２】実開昭５６−  ５６８７５公報
【特許文献３】実開昭５７−１６１９５８公報
【特許文献４】実開平  ５−  ６８４６９公報
【特許文献５】特開平１０−２４３９０６公報
【発明の開示】
【発明が解決しようとする課題】
【０００３】
従来品で、溝用として用具の側面を使用する方式のものは、ちり等の蓄積部分が狭くちり等が溢れやすい面があること及び用具を側面倒立にする必要があり、把手の持ち替えが必要となること及び倒立させたまま取り入れるため、操作の自由度が少ない等があり課題があった。
【０００４】
溝から取り入れ方法として、主体に付属片を付加する方式のものは、フラット面で使用する場合、付属品を外さないと使用しにくい面があること及び、付属片が平板であるため持ち上げる際ちり等が落下しやすくなる問題がある。
【０００５】
当初から溝用目的に作成した用具は、フラット面で使用する場合、ちり等の取り入れ口が狭くちり等がこぼれ易いため実用上使用しづらい、等の問題点がある。
【課題を解決するための手段】
【０００６】
従来の用具でフラット面及び溝用の二つの機能を有している方式のもので溝からちり等を収集する場合、この用具の側面を利用する方式のため取り入れ口付近のちり等の蓄積スペースが少容量であふれやすく、また同時に横に倒立させる必要があり、かつ把手の持ち替えが必要である等操作性に難点があると言える。またちりとり器に平板の付属片を装着して溝部分から取りこむ方式のものについては、フラット面で使用する場合、底板とフラット面の間に隙間を生じその都度付属品を外さないと使用しにくい面があること及び、付属片が平板であり、ちりとり器を持ち上げる際にこぼれやすいため実用上問題がある。当初から溝使用を目的とした用具は、取り入れ口が狭くフラット面での使用は、不効率であり難しい。これらの問題を解決するためフラット面からの取り入れ口及び溝面からの取り入れ口をそれぞれ別々の方向に設けることによって、フラット面からの取り入れ及び溝状部分からの取り入れ時も把手を持ち替える必要がなくスムーズに取り込みができ、ちり等の蓄積容量も主体中央部付近に確保できるため、ちり等が落下することもなく確実に収集可能となった。  作業場所の環境により溝幅が溝用取入れ口より更に狭い場合は、付属品（L字型）を差し込み、付属品の取り入れ口をその対象の溝幅の寸法に合わせカットすることにより、マッチさせることができる。溝幅が溝用取り入れ口と変わらないが深い溝である場合は、付属品を装着するだけで取り入れ口を延長した形になり収集可能となる。また付属品の構造がＬ字型になっているため、収集時にちり等をＬ字型の角部に集中させることができ、ちり等はほとんど落下することなく円滑に取り込みが可能となる。
【発明の効果】
【０００７】
この発明により、通常のフラット面でのチリ等の収集及び溝状部分（各種幅）及び深度のある溝状部分に存在するちり等を収集する場合であっても、それぞれの用途に対応した個別用具に取り替えることなく、また作業を中断することなく連続して効率的に収集できる。
【０００８】
以下本発明の実施例について図面を参照して説明する。
【実施例１】
【０００９】
図―１、図―２、図―３は、実施例１であり、これに基づき説明する。
この本体図１または図２のA部分は、フラットな面に存在するちり等をかき集める主体の取り入れ口部分を示し、図１または図２のB部分は溝状部分にあるちり等をかき集める取り入れ口の張り出し部分を示すが、ちり等収集場所のフラット面または溝状部分等の作業状況に応じて、A部分またはB部分を使い分けできるため、作業の円滑な進捗を図ることができる。
また溝状部分の溝幅がＢより狭隘な場合は、図３の付属品の先端部分（図の斜線部分）をその対象の溝幅に合わせてカットしておき、主体のB部のア部分を付属品イ部分に挿入して、溝状部分にあるちり等を収集する。また溝状部分の幅が同一で深い場合は、この図3の付属品を装着するのみで使用可能である。なおこの付属品は、溝幅に合わせてカットできるようにしてあり、断面はL字型になっているため、溝状部分に存在するちり等の収集時には、付属品のL字角部分に寄せて集積できるのでちり等が落下することなく、確実かつ効率的に収集できる。
【実施例２】
【００１０】
図４から図７については、実施例２でありこれに基づき説明する。
フラット面からのちり等取り入れは、図４の主体のＣ部から取り入れ、溝状部分から取り入れる場合は、主体から引き出された舌片ウの部分から取り入れことができるようにしたものである。
このようにフラット面から取り入れる際は、舌片ウは、主体Ｄ部分の底板の空隙の中に適切に収納されており、同時にＤ部分上面からちり等がこぼれ落ちるのを防止する目的で仕切り板オは、仕切り板収納部のＥ部分から、Ｄ部の上面に引き出され保持されている。また溝状部分からちり等を収集する際は、舌片ウを主体Ｄ部分の底板内の空隙部分から引き出し保持されているとともに、仕切り板オを仕切り板収納部のＥ部へ収納かつ保持し、舌片のウ部からちり等を収集する。溝状部分からのちり収集が済み収納または運搬する場合は、舌片ウを主体の底板部に収納できるため、コンパクト化が可能となる。またより狭い溝状部分からちり等を収集する場合は、この舌片ウに図７の付属品のエ部を装着することによって、容易に収集することができる。
【図面の簡単な説明】
【００１１】
【図１】主体平面図及び付属品の平面図を示す。
【図２】主体及び付属品の斜視図であり、主体に付属品を装着した状況を示す。なお機能及び名称については図１と同様である。
【図３】付属品の斜視図を示す。
【図４】主体平面図で通常使用（フラット面）時の図を示す。
【図５】主体平面図で、フラット面及び溝状部分で使用する場合の図を示す。
【図６】主体斜視図で狭隘溝用の付属品のエ部を舌片のウ部に装着した状況を示す。
【図７】付属品斜視図を示す。
【符号の説明】
【００１２】
Ａフラット面状からのちり等の取り入れ口
Ｂ  取り入れ口を溝の底部に差し入れてちり等を取り入れる舌片部分
Ｃ  主にフラット面から収集する取り入れ口。
Ｄ  主体の底部に溝からの取り入れ用舌片を収納できる。
Ｅ  仕切り板を収納する部である。
ア  主体の張り出し部で付属品へ差し入れる部分。
イ  付属品受け口
ウ  溝状部分から収集する際に取り入れ口として、主体底板Ｄ部から引き出して使用する舌片である。
エ  付属品のエ部分を舌片のウ部に装着する。
オ  溝状部分からの取り入れ口を使用しない場合の、ちり等落下防止用の仕切り板。
【図１】
2004351200.tif 000003
【図２】
2004351200.tif 000004
【図３】
2004351200.tif 000005
【図４】
2004351200.tif 000006
【図５】
2004351200.tif 000007
【図６】
2004351200.tif 000008
【図７】
2004351200.tif 000009
【手続補正書】
【提出日】平成16年9月17日(2004.9.17)
【手続補正１】
【補正対象書類名】図面
【補正対象項目名】図１
【補正方法】変更
【補正の内容】
【図１】
2004351200.tif 000010
【手続補正２】
【補正対象書類名】図面
【補正対象項目名】図２
【補正方法】変更
【補正の内容】
【図２】
2004351200.tif 000011